(57)【要約】  高圧発生ユニット（１００）は、ユニット筐体と、放電部と、突出部とを有している。突出部は、放電部よりも下方に配置されており、ユニット筐体から放電部よりも大きく突出している。ホルダは、高圧発生ユニットを取り付けおよび取り外し可能に保持する。ホルダ収容部（１３０）は、ホルダを取り付け可能である。ホルダ収容部（１３０）には、ホルダがホルダ収容部（１３０）に取り付けられるときに通過するホルダ通路が形成されている。ホルダ収容部（１３０）には、ホルダ通路が外部に開口する開口部（１３２）が形成されている。ホルダ通路の底壁面は、開口部（１３２）から連続する平面状の開口部底面（１３６）と、開口部底面（１３６）に対して下方に落ち込む段差部（１３７）とを有している。
2019038948.tif 000002
【特許請求の範囲】
【請求項１】
ユニット筐体と、前記ユニット筐体から突出し電圧が印加されて放電する放電部と、前記放電部よりも下方に配置され前記ユニット筐体から前記放電部よりも大きく突出する突出部とを有する、高圧発生ユニットと、  前記高圧発生ユニットを取り付けおよび取り外し可能に保持するホルダと、  前記ホルダを取り付け可能なホルダ収容部とを備え、  前記ホルダ収容部には、前記ホルダが前記ホルダ収容部に取り付けられるときに通過するホルダ通路が形成されており、前記ホルダ通路が外部に開口する開口部が形成されており、  前記ホルダ通路の底壁面は、前記開口部から連続する平面状の開口部底面と、前記開口部底面に対して下方に落ち込む段差部とを有する、放電装置。
【請求項２】
前記段差部よりも前記ホルダ通路の奥側に、前記開口部に向けて先端が曲がるフック形状部を備える、請求項１に記載の放電装置。
【請求項３】
前記フック形状部よりも前記ホルダ通路の奥側に、前記開口部に向けて先端が曲がる第２フック形状部を備える、請求項２に記載の放電装置。
【請求項４】
前記第２フック形状部の先端よりも前記ホルダ通路の奥側に、前記ホルダ通路の側壁面から突出する突出形状部を備える、請求項３に記載の放電装置。
【請求項５】
前記フック形状部よりも前記ホルダ通路の奥側、かつ前記第２フック形状部よりも前記ホルダ通路の手前側に、前記ホルダ通路の天井部が切り欠かれた切欠き形状部を備える、請求項３または４に記載の放電装置。
【発明の詳細な説明】
【技術分野】
【０００１】  本開示は、放電装置に関する。本出願は、２０１７年８月２２日に出願した日本特許出願である特願２０１７−１５９３７２号に基づく優先権を主張する。当該日本特許出願に記載された全ての記載内容は、参照によって本明細書に援用される。
【背景技術】
【０００２】  従来、室内の空気の浄化、殺菌または消臭などを行なうために、イオン発生装置が利用されている。一般的に、イオン発生装置は、放電によりイオンを発生させる放電電極を備えている。【０００３】  特開２０１２−２１６８３号公報（特許文献１）には、イオン発生装置が本体部に対して着脱可能に設けられる構成が開示されている。
【先行技術文献】
【特許文献】
【０００４】
【特許文献１】特開２０１２−２１６８３号公報
【発明の概要】
【発明が解決しようとする課題】
【０００５】  放電装置において、電圧が印加されて放電する高圧発生ユニットが着脱可能である場合に、高圧発生ユニットが不適切に組み付けられると、放電装置の性能が低下する虞がある。【０００６】  本開示では、高圧発生ユニットを適切に組み付けできる放電装置が提供される。
【課題を解決するための手段】
【０００７】  本開示に従うと、高圧発生ユニットと、ホルダと、ホルダ収容部とを備える、放電装置が提供される。高圧発生ユニットは、ユニット筐体と、放電部と、突出部とを有している。放電部は、ユニット筐体から突出しており、電圧が印加されて放電する。突出部は、放電部よりも下方に配置されており、ユニット筐体から放電部よりも大きく突出している。ホルダは、高圧発生ユニットを取り付けおよび取り外し可能に保持する。ホルダ収容部は、ホルダを取り付け可能である。ホルダ収容部には、ホルダがホルダ収容部に取り付けられるときに通過するホルダ通路が形成されている。ホルダ収容部には、ホルダ通路が外部に開口する開口部が形成されている。ホルダ通路の底壁面は、開口部から連続する平面状の開口部底面と、開口部底面に対して下方に落ち込む段差部とを有している。【０００８】  上記の放電装置は、段差部よりもホルダ通路の奥側に、開口部に向けて先端が曲がるフック形状部を備えている。【０００９】  上記の放電装置は、フック形状部よりもホルダ通路の奥側に、開口部に向けて先端が曲がる第２フック形状部を備えている。【００１０】  上記の放電装置は、第２フック形状部の先端よりもホルダ通路の奥側に、ホルダ通路の側壁面から突出する突出形状部を備えている。【００１１】  上記の放電装置は、フック形状部よりもホルダ通路の奥側、かつ第２フック形状部よりもホルダ通路の手前側に、ホルダ通路の天井部が切り欠かれた切欠き形状部を備えている。
【発明の効果】
【００１２】  本開示に係る放電装置によれば、高圧発生ユニットを適切に組み付けできるので、放電装置は所定の性能を確保することができる。
【図面の簡単な説明】
【００１３】
【図１】実施の形態１に係る加湿空気清浄機の正面図である。
【図２】図１に示す加湿空気清浄機の左側面図である。
【図３】図１に示す加湿空気清浄機の背面図である。
【図４】図１に示す加湿空気清浄機の平面図である。
【図５】前パネルの斜視図である。
【図６】加湿空気清浄機の内部構造を示す縦断面図である。
【図７】下流風路内の気体の流れを示す模式図である。
【図８】高圧発生ユニットの構成を示す斜視図である。
【図９】ホルダの構成を示す斜視図である。
【図１０】高圧発生ユニットがホルダに保持された状態を示す斜視図である。
【図１１】ホルダ収容部の構成を示す斜視図である。
【図１２】ホルダ収容部の構成を示す斜視図である。
【図１３】筐体に取り付けられたホルダ収容部を側方から見た図である。
【図１４】筐体に取り付けられたホルダ収容部の後方からの斜視図である。
【図１５】ホルダがホルダ収容部に収容される前の状態を示す斜視図である。
【図１６】ホルダがホルダ収容部に収容された状態を示す斜視図である。
【図１７】ホルダがホルダ収容部に収容された状態を示す斜視図である。
【図１８】ホルダがホルダ収容部に収容された状態を示す側面図である。
【図１９】筐体に取り付けられたホルダ収容部にホルダが収容された状態の後方からの斜視図である。
【図２０】高圧発生ユニット単体をホルダ通路に挿し入れようとする状態の側面図である。
【図２１】高圧発生ユニット単体をホルダ通路に挿し入れようとする状態の後方からの斜視図である。
【図２２】高圧発生ユニット単体をフック形状部よりも奥へ進めようとする状態の部分断面図である。
【図２３】高圧発生ユニット単体をフック形状部よりも奥へ進めようとする状態の後方からの斜視図である。
【図２４】高圧発生ユニット単体が第２フック形状部へ到達した状態の部分断面図である。
【図２５】高圧発生ユニット単体が第２フック形状部へ到達した状態の後方からの斜視図である。
【図２６】高圧発生ユニット単体が第２フック形状部へ到達した状態の後方からの斜視図である。
【図２７】高圧発生ユニット単体が背面リブへ到達した状態の後方からの斜視図である。
【図２８】実施の形態２の高圧発生ユニット単体をホルダ通路に挿し入れようとする状態の後方からの斜視図である。
【図２９】実施の形態２の高圧発生ユニット単体が切り欠き部内に嵌まり込んだ状態の後方からの斜視図である。
【図３０】実施の形態３の高圧発生ユニット単体をホルダ通路に挿し入れようとする状態の部分断面図である。
【図３１】実施の形態３の高圧発生ユニット単体をホルダ通路に挿し入れようとする状態の後方からの斜視図である。
【発明を実施するための形態】
【００１４】  実施の形態について、以下、図面を参照しながら説明する。同一の部品および相当部品には同一の参照番号を付し、重複する説明は繰り返さない場合がある。
【００１５】  実施の形態においては、放電装置の一例として、加湿空気清浄機１について説明する。放電装置は加湿空気清浄機１に限られず、たとえば、加湿機能を有しない空気清浄機、イオン発生機、空気調和機、換気装置、乾燥機、除湿器、ファンヒータまたはその他の機器であってもよい。
【００１６】  （実施の形態１）  図１は、実施の形態１に係る加湿空気清浄機１の正面図である。図２は、図１に示す加湿空気清浄機１の左側面図である。図３は、図１に示す加湿空気清浄機１の背面図である。図４は、図１に示す加湿空気清浄機１の平面図である。まず、実施の形態１に係る加湿空気清浄機１の全体構成について説明する。
【００１７】  図１〜４に示すように、加湿空気清浄機１は、装置の外筐をなす筐体２を備えている。筐体２は、前面２Ａと、前面２Ａとは反対側の背面２Ｂと、前面２Ａおよび背面２Ｂをつなぐ右側面２Ｃと、前面２Ａおよび背面２Ｂをつなぐとともに右側面２Ｃとは反対側の左側面２Ｄとを有している。筐体２は、上面２Ｅを有している。筐体２は、全体としてほぼ直方体状の形状を有し、直方体を垂直に立てたような外形を有している。
【００１８】  筐体２の前面２Ａの上部には、前吹出し口３が形成されている。上面２Ｅには、後吹出し口４が形成されている。前吹出し口３および後吹出し口４は、加湿空気清浄機１から空気が外部に吹き出る開口である。加湿空気清浄機１の上部に、加湿空気清浄機１から吹き出る空気の吹出口が形成されている。
【００１９】  前吹出し口３には、前ルーバー７が配置されている。前ルーバー７は、手動または自動で移動可能に設けられている。前ルーバー７は、その位置を変えることにより、前吹出し口３から吹き出る空気の流れ方向を変更（調整）することが可能に、設けられている。
【００２０】  後吹出し口４には、後ルーバー８が配置されている。後ルーバー８は、手動または自動で移動可能に設けられている。後ルーバー８は、後吹出し口４を閉じる位置に配置可能である。後ルーバー８は、後吹出し口４を閉じる位置から任意の角度開いた状態で停止可能である。後ルーバー８は、後吹出し口４を開閉可能、および、後吹出し口４から吹き出る空気の流れ方向を変更（調整）することが可能に、設けられている。加湿空気清浄機１の停止中には上方に開口する後吹出し口４を閉じるように後ルーバー８を移動させることができ、これにより後吹出し口４からの筐体２内部への埃および異物の侵入が抑制される。
【００２１】  筐体２の上面２Ｅには、操作部５が設けられている。操作部５は、複数の操作ボタンを有している。加湿空気清浄機１のユーザは、操作部５の操作ボタンを適宜押すことで、加湿空気清浄機１の運転、停止、風量切替などの操作を行なうことができる。操作部５はまた、加湿空気清浄機１の運転状態をユーザに通知するための通知部を有している。通知部は、たとえば複数の表示ランプを有しており、表示ランプの点灯および消灯によって加湿空気清浄機１の運転状態を視覚的にユーザに通知することができる。
【００２２】  筐体２の前面２Ａは、前パネル１０によって構成されている。前パネル１０は、加湿空気清浄機１の外筐の一部を構成している。前パネル１０の構成の詳細は後述する。
【００２３】  筐体２の背面２Ｂには、開口が形成されており、この開口を塞ぐように後パネル２０が取り付けられている。後パネル２０には複数の通気口２１が形成されている。通気口２１は、略平板状の後パネル２０を厚み方向に貫通して形成されている。通気口２１は、加湿空気清浄機１の筐体２の内部へ外部の空気を導入するための小孔である。後パネル２０には窪み部２２が形成されている。加湿空気清浄機１のユーザは、窪み部２２に手指を挿し入れて後パネル２０を後方へ引くことにより、後パネル２０を筐体２の背面２Ｂから取り外すことができる。
【００２４】  筐体２の右側面２Ｃには、窪み部２４が形成されている。筐体２の左側面２Ｄには、窪み部２５が形成されている。加湿空気清浄機１のユーザは、片手の指を窪み部２４に挿し入れ、同時に他の片手の指を窪み部２５に挿し入れて、筐体２を持ち上げることができる。これにより、加湿空気清浄機１を床上から離れた位置に移動させ、室内の適所へ加湿空気清浄機１を容易に移動することができる。
【００２５】  筐体２の左側面２Ｄには、カバー２６が設けられている。カバー２６は、左側面２Ｄから取り外し可能に形成されている。カバー２６を取り外した状態で、後述する高圧発生ユニット１００の、加湿空気清浄機１からの取り外しまたは加湿空気清浄機１への取り付けが可能になる。加湿空気清浄機１の下部には、貯水トレイ３０が配置されている。貯水トレイ３０は、左側面２Ｄから左方向に取り外しが可能に構成されている。
【００２６】  図５は、前パネル１０の斜視図である。図５に示すように、前パネル１０の、加湿空気清浄機１に取り付けられた状態で前面２Ａを構成する部分に、切欠き１３が形成されている。前パネル１０の、加湿空気清浄機１に取り付けられた状態で右側面２Ｃを構成する部分に、切欠き１４が形成されている。前パネル１０の、加湿空気清浄機１に取り付けられた状態で左側面２Ｄを構成する部分に、切欠き１５，１９および開口１６が形成されている。
【００２７】  切欠き１３は、前吹出し口３を形成する。切欠き１４は、窪み部２４に対応して形成されている。切欠き１５は、窪み部２５に対応して形成されている。開口１６は、カバー２６に対応して形成されている。切欠き１９は、貯水トレイ３０に対応して形成されている。
【００２８】  図６は、図１に示す加湿空気清浄機１の内部構造を示す縦断面図である。図６には、側方（左方）から見た加湿空気清浄機１の断面が図示されている。
【００２９】  図６に示すように、後パネル２０の前方に、フィルタ４１が配置されている。フィルタ４１は、微細な集塵を捕集するとともに空気中の臭い成分を吸着する集塵・脱臭一体型のフィルタである。一体のフィルタ４１に替えて、集塵フィルタと脱臭フィルタとを別体に構成して、互いに重ねて配置してもよい。
【００３０】  フィルタ４１は、筐体２の内部に収容されており、後パネル２０によって後方を覆われている。後パネル２０を取り外すことにより、フィルタ４１に容易にアクセス可能な配置とされている。これにより、フィルタ４１の清掃または交換などのメンテナンス作業が容易になっている。
【００３１】  フィルタ４１の前方、すなわちフィルタ４１よりも筐体２の内部に、中空の下降風路１５０が形成されている。
【００３２】  貯水トレイ３０は、トレイ本体３１を有している。トレイ本体３１は、容器状の形状を有しており、その内部に水を貯留する。トレイ本体３１の内部に、加湿フィルタ３２、抗菌剤３３、およびフロート３４が配置されている。
【００３３】  加湿フィルタ３２は、吸水性および通気性を有している。加湿フィルタ３２は、その下部がトレイ本体３１内に貯留された水に浸漬されている。加湿フィルタ３２は、その上部が水面から上方に突き出しており、空気中に配置されている。加湿フィルタ３２は、トレイ本体３１内の水に浸漬された浸水部を下部に有し、水に浸漬されない非浸水部を上部に有している。
【００３４】  加湿フィルタ３２は、毛細管現象によりトレイ本体３１内の水を吸い上げて、全体が水分を含んだ状態になる。加湿フィルタ３２の上部の非浸水部は、水に浸漬されないが、下部の浸水部から水を吸い上げることにより、トレイ本体３１内の貯水量に関わらず非浸水部を含む加湿フィルタ３２の全体に水分が行き渡る。
【００３５】  抗菌剤３３は、トレイ本体３１内に貯留された水に浸漬されている。抗菌剤３３は、抗菌成分を含んでいる。トレイ本体３１内に貯留された水に抗菌成分が溶解することにより、トレイ本体３１内の水および加湿フィルタ３２における細菌またはカビの発生を抑制する、抗菌機能が発揮される。
【００３６】  フロート３４は、トレイ本体３１内の水位の変動に伴って浮動する。フロート３４は、トレイ本体３１内の水位を検知する水位センサを構成している。フロート３４はたとえば磁石を内蔵している。水位センサで検知されたトレイ本体３１内の水位に基づいて、加湿空気清浄機１の運転が制御される。
【００３７】  筐体２内に、送風機５０が配置されている。貯水トレイ３０は、送風機５０の下方に配置されている。送風機５０は、フィルタ４１から離隔して、フィルタ４１の前方に配置されている。下降風路１５０は、前後方向において送風機５０とフィルタ４１との間に形成されている。
【００３８】  送風機５０は、気体を送風するファン５２と、ファン５２を回転駆動する電動機としてのファンモータ５３と、ファン５２およびファンモータ５３を収容するファンケーシング５４とを有している。ファンケーシング５４は、前パネル１０に向き合う対向面５６を有している。対向面５６は、前パネル１０と離隔して配置されている。
【００３９】  前パネル１０と、ファンケーシング５４の対向面５６との間に、ファン５２へ流れる空気が流れる通路である中空の上流風路１６０が形成されている。上流風路１６０は、ファン５２によって送風される空気が流れる通路において、ファン５２よりも上流側の通路の一部を構成している。前パネル１０は、ファン５２により送風される気体の送風路である上流風路１６０の壁面の一部を構成している。
【００４０】  ファンケーシング５４の対向面５６には、複数のリブ８０が取り付けられている。リブ８０は、ファンケーシング５４の対向面５６と前パネル１０との間に配置されている。リブ８０は、ファンケーシング５４の対向面５６から前パネル１０へ向かって延びている。
【００４１】  ファン５２から流出する空気が流れる通路である下流風路１７０が、ファン５２の上方に形成されている。下流風路１７０は、ファン５２によって送風される空気が流れる通路において、ファン５２よりも下流側の通路の一部を構成している。分岐部１８０において、空気の通路が、前吹出し口３につながる前方風路１８３と、後吹出し口４につながる後方風路１８４とに、二つに分岐している。前吹出し口３は、前方風路１８３の上端に設けられている。後吹出し口４は、後方風路１８４の上端に設けられている。前吹出し口３と後吹出し口４とは、ファン５２によって送風される空気の流れの下流端に設けられている。
【００４２】  下流風路１７０には、高圧発生ユニット１００が配置されている。高圧発生ユニット１００は、下流風路１７０の壁面から下流風路１７０内に突出している。高圧発生ユニット１００は、放電によりイオンなどの活性種を発生する。これにより、高圧発生ユニット１００を通過して流れる空気中に、活性種が含まれる。
【００４３】  フィルタ４１を通過して筐体２の内部に流入した空気は、下降風路１５０を経由して、加湿空気清浄機１の下方に設けられた貯水トレイ３０へと送風される。吸水した加湿フィルタ３２を空気が通過することにより、空気が加湿される。その後、加湿された空気が、送風機５０へと送風される。ファン５２の回転により空気が通流される。下流風路１７０において、空気中に活性種が含まれる。そして、前吹出し口３および後吹出し口４から、加湿されかつ活性種を含む空気が、外部（室内）に放出される。
【００４４】  図７は、下流風路１７０内の気体の流れを示す模式図である。図７には、後方から透視した加湿空気清浄機１の筐体２の内部の一部構成が図示されている。図中の右方向が加湿空気清浄機１の右方向であり、図中の左方向が加湿空気清浄機１の左方向である。図中の矢印は、ファン５２およびファンモータ５３の回転方向を示している。
【００４５】  ファンケーシング５４は、下流風路１７０を規定する風路壁面１７２，１７４を有している。風路壁面１７２，１７４は、上方へ向かうにつれて右方へ向かうように、加湿空気清浄機１の上下方向に対して傾いている。ファン５２が図７中の時計回り方向に回転するため、ファン５２から下流風路１７０へ流入する空気は、風路壁面１７２の近傍により多く流れ込み、風路壁面１７２の近傍を流れる空気の流速が大きくなる。風路壁面１７２を上下方向に対して傾けて配置することにより、下流風路１７０内における、加湿空気清浄機１の左右方向の空気の流量および流速のアンバランスを低減し、高圧発生ユニット１００を通って流れる空気の流量を増大させている。
【００４６】  図８は、高圧発生ユニット１００の構成を示す斜視図である。高圧発生ユニット１００は、ユニット筐体１０１と、放電部１０２，１０３とを備えている。放電部１０２，１０３は、略直方体状のユニット筐体１０１から突出して設けられている。放電部１０２，１０３は、放電部１０２，１０３がユニット筐体１０１から突出する方向に沿って、延在している。ユニット筐体１０１には、後述するコネクタ１４０と高圧発生ユニット１００との電気的な接続のための接続部１０８が形成されている。
【００４７】  放電部１０２，１０３は、複数の線状の導電体と、導電体を束ねる基部とを有している。線状には、糸状、繊維状、針金状が含まれる。導電体は、導電性の材料で形成されている。導電体はたとえば、金属、カーボン繊維、導電性繊維、または導電性樹脂で形成されてもよい。導電体は、ユニット筐体１０１に近い側の基端部と、ユニット筐体１０１から離れる側の先端部を有している。複数の導電体の先端部は、ブラシ状に形成されている。放電部１０２，１０３は、ユニット筐体１０１から突出する方向を長手方向とするブラシ状の電極である。
【００４８】  放電部１０２，１０３は、電圧が印加されて放電して、イオン、電子、ラジカル、およびオゾンなどの活性種を発生する。放電部１０２は、たとえば、正イオンを発生させるための放電電極である。放電部１０３は、たとえば、負イオンを発生させるための放電電極である。放電部１０２は、高電圧が印加されて放電することにより、正イオンを発生する。放電部１０３は、高電圧が印加されて放電することにより、負イオンを発生する。
【００４９】  正イオンは、水素イオン（Ｈ＋）の周囲に複数の水分子がクラスター化したクラスターイオンであり、Ｈ＋（Ｈ２Ｏ）ｍ（ｍは０以上の任意の整数）と表わされる。負イオンは、酸素イオン（Ｏ２−）の周囲に複数の水分子がクラスター化したクラスターイオンであり、Ｏ２−（Ｈ２Ｏ）ｎ（ｎは０以上の任意の整数）と表わされる。正イオンおよび負イオンを室内に放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００５０】  高圧発生ユニット１００は、放電部１０２，１０３の先端を保護する電極保護部１０４，１０６を備えている。電極保護部１０４と電極保護部１０６とは、互いに間隔を設けて配置されている。電極保護部１０４，１０６は、放電部１０２，１０３に外部の物体が直接接触することを防止するために、放電部１０２，１０３に隣り合って設けられている。電極保護部１０４と電極保護部１０６との間に、放電部１０２，１０３が配置されている。電極保護部１０４と電極保護部１０６とは、放電部１０２，１０３を挟んでいる。電極保護部１０４は、放電部１０２，１０３よりも下方に配置されている。電極保護部１０６は、放電部１０２，１０３よりも上方に配置されている。
【００５１】  電極保護部１０４，１０６は、ユニット筐体１０１と一体に成形されており、ユニット筐体１０１から突出している。電極保護部１０４，１０６は、放電部１０２，１０３よりも、ユニット筐体１０１から大きく突出している。電極保護部１０４は、実施の形態の突出部を構成している。
【００５２】  電極保護部１０４は、梁部１０５Ａと、支柱１０５Ｂ〜１０５Ｄを有している。支柱１０５Ｂ〜１０５Ｄは、ユニット筐体１０１から垂直に突出している。支柱１０５Ｂ〜１０５Ｄの延びる方向は、放電部１０２，１０３の延びる方向と平行である。支柱１０５Ｂ〜１０５Ｄの先端に、梁部１０５Ａが結合している。梁部１０５Ａの一端に支柱１０５Ｂが結合しており、梁部１０５Ａの他端に支柱１０５Ｄが結合しており、梁部１０５Ａの中央部に支柱１０５Ｃが結合している。支柱１０５Ｂと支柱１０５Ｃとは間隔を空けて配置されており、支柱１０５Ｃと支柱１０５Ｄとは間隔を空けて配置されている。
【００５３】  電極保護部１０６は、梁部１０７Ａと、支柱１０７Ｂ〜１０７Ｄを有している。支柱１０７Ｂ〜１０７Ｄは、ユニット筐体１０１から垂直に突出している。支柱１０７Ｂ〜１０７Ｄの延びる方向は、放電部１０２，１０３の延びる方向と平行である。支柱１０７Ｂ〜１０７Ｄの先端に、梁部１０７Ａが結合している。梁部１０７Ａの一端に支柱１０７Ｂが結合しており、梁部１０７Ａの他端に支柱１０７Ｄが結合しており、梁部１０７Ａの中央部に支柱１０７Ｃが結合している。支柱１０７Ｂと支柱１０７Ｃとは間隔を空けて配置されており、支柱１０７Ｃと支柱１０７Ｄとは間隔を空けて配置されている。
【００５４】  高圧発生ユニット１００が加湿空気清浄機１の下流風路１７０（図６，７）に設けられた状態で高圧発生ユニット１００を通過する空気の流れる方向において、電極保護部１０４は、放電部１０２，１０３よりも上流に配置されている。電極保護部１０６は、放電部１０２，１０３よりも空気の流れの下流に配置されている。支柱１０５Ｂ〜１０５Ｄ，１０７Ｂ〜１０７Ｄは、空気の流れ方向において放電部１０２，１０３と重ならない位置に配置されている。梁部１０５Ａ，１０７Ａは、空気の流れ方向に直交する方向に延びている。
【００５５】  図９は、ホルダ１１０の構成を示す斜視図である。高圧発生ユニット１００のユニット筐体１０１は、ホルダ１１０によって保持される。高圧発生ユニット１００は、ホルダ１１０に装着可能である。高圧発生ユニット１００は、ホルダ１１０に対し、自在に取り付けおよび取り外し可能に構成されている。
【００５６】  ホルダ１１０は、本体部１１１を有している。本体部１１１の一部の表面が窪んで、ユニット収容部１１４が形成されている。ユニット収容部１１４は、高圧発生ユニット１００のユニット筐体１０１を収容可能に、形成されている。ユニット収容部１１４は、略直方体状のユニット筐体１０１の外形よりも僅かに大きい形状を有しており、高圧発生ユニット１００を容易にホルダ１１０に取り付け可能とするとともに、ホルダ１１０に取り付けられた高圧発生ユニット１００が意図せず脱落することを防止している。なお図１０は、高圧発生ユニット１００がホルダ１１０に保持された状態を示す斜視図である。
【００５７】  本体部１１１の上方に、本体部１１１よりも厚みの小さい上ガイド部１１２が設けられている。本体部１１１の下方に、本体部１１１よりも厚みの小さい下ガイド部１１３が設けられている。上ガイド部１１２および下ガイド部１１３は、正面視において略矩形状の本体部１１１の長辺方向に沿って、当該長辺の全体に亘って延びている。
【００５８】  本体部１１１の、ユニット収容部１１４が形成されている表面とは反対側の裏面に、本体部１１１の一部が窪んだリブ収容部１１５およびコネクタ収容部１１６が形成されている。
【００５９】  略矩形状の本体部の短辺の一方に、把持部１１８が設けられている。加湿空気清浄機１のユーザは、把持部１１８を手指で把持することにより、ホルダ１１０と、ホルダ１１０に保持された高圧発生ユニット１００とを、加湿空気清浄機１の筐体２内に容易に取り付けることができ、または筐体２から外部へ容易に取り外すことができる。
【００６０】  図１１および図１２は、ホルダ収容部１３０の構成を示す斜視図である。ホルダ１１０は、ホルダ収容部１３０に取り付け可能である。ホルダ１１０は、ホルダ収容部１３０に自在に取り付けまたは取り外し可能に構成されている。ホルダ収容部１３０には、ホルダ通路１３１が形成されている。ホルダ１１０には、ホルダ通路１３１が外部に開口する開口部１３２が形成されている。ホルダ１１０は、開口部１３２を経由してホルダ収容部１３０内に挿し込まれ、ホルダ通路１３１を通過して移動することにより、ホルダ収容部１３０に取り付けられる。ホルダ１１０は、ホルダ収容部１３０から取り外されるとき、ホルダ通路１３１を通過して移動し、開口部１３２から抜き出される。
【００６１】  ホルダ収容部１３０には、上溝１３３および下溝１３４が形成されている。上溝１３３および下溝１３４は、ホルダ通路１３１を通過するホルダ１１０の移動方向に沿って、形成されている。上溝１３３は、その内部をホルダ１１０の上ガイド部１１２が通過可能であるように、形成されている。下溝１３４は、その内部をホルダ１１０の下ガイド部１１３が通過可能であるように、形成されている。
【００６２】  上ガイド部１１２が上溝１３３によって案内され、下ガイド部１１３が下溝１３４によって案内されることにより、取り付けまたは取り外しのためにホルダ１１０がホルダ収容部１３０に対して相対移動するときのホルダ１１０の姿勢が定められている。ホルダ１１０がホルダ収容部１３０に取り付けられた状態で、上ガイド部１１２の一部が上溝１３３内に収容され、下ガイド部１１３の一部が下溝１３４内に収容されることにより、ホルダ収容部１３０に取り付けられたホルダ１１０の姿勢が定められている。
【００６３】  ホルダ収容部１３０は、ホルダ通路１３１の底面を構成する底壁面１３５を有している。底壁面１３５は、開口部１３２から連続する開口部底面１３６を有している。開口部底面１３６は、底壁面１３５の一部分を構成している。開口部底面１３６は、平面状の形状を有している。またホルダ収容部１３０は、ホルダ通路１３１の側面を構成する側壁面１３８を有している。ホルダ通路１３１の最奥部において、側壁面１３８に、コネクタ１４０が取り付けられている。
【００６４】  ホルダ収容部１３０は、固定部１４１，１４２，１４３を有している。ホルダ収容部１３０は、加湿空気清浄機１の筐体２（図１〜４，６）の内部に収容されている。固定部１４１，１４２，１４３に形成された孔を貫通してボルト締めされることにより、ホルダ収容部１３０が筐体２に取り付けられている。
【００６５】  ホルダ収容部１３０は、基板収容部１４４を有している。基板収容部１４４には、イオン量検知基板が取り付けられている。イオン量検知基板は、放電部１０２，１０３が発生する磁界を検知することにより、放電により発生する活性種（イオン）の濃度を検知する。基板収容部１４４は、ホルダ収容部１３０の、側壁面１３８の裏側に設けられている。イオン量検知基板が活性種（イオン）の濃度を精度よく測定できるように、高圧発生ユニット１００およびホルダ１１０がホルダ収容部１３０に取り付けられた状態で、放電部１０２，１０３の近傍に基板収容部１４４が配置されている。
【００６６】  イオン量検知基板は、ホルダ収容部１３０によってその全体を覆われており、外部から視認不能に設けられている。イオン量検知基板を構成する部品および電極などが、外部に露出しない構成とされている。これにより、イオン量検知基板にユーザが意図せず触れることが防止されており、またイオン量検知基板に埃などの不純物が付着することが抑制されている。
【００６７】  筐体２の下部には貯水トレイ３０が配置されており、貯水トレイ３０には水が貯留されている。加湿空気清浄機１が万一転倒した場合、貯水トレイ３０の内部の残水が筐体２の上へ向かって流れる可能性がある。イオン量検知基板が外部に露出しない構成であるので、水がホルダ収容部１３０に到達した場合でも、イオン量検知基板が水の影響を受けることが防止されている。
【００６８】  図１３は、筐体２に取り付けられたホルダ収容部１３０を側方から見た図である。図２を参照して説明した通り、筐体２の左側面２Ｄには、カバー２６が設けられている。カバー２６は、ホルダ収容部１３０の開口部１３２を覆っている。筐体２にカバー２６が取り付けられている状態では、ホルダ収容部１３０はカバー２６に覆われて外部に露出しない。筐体２からカバー２６が取り外されることにより、ホルダ収容部１３０の開口部１３２が外部に露出し、開口部１３２を経由してホルダ１１０および高圧発生ユニット１００をホルダ収容部１３０に取り付けまたはホルダ収容部１３０から取り外すことが可能になる。
【００６９】  図１３には、筐体２からカバー２６が取り外された状態が図示されている。図１３には、ホルダ収容部１３０にホルダ１１０および高圧発生ユニット１００が取り付けられていない状態が図示されている。図１３に示されるように、ホルダ収容部１３０にホルダ１１０および高圧発生ユニット１００が取り付けられていない状態で筐体２からカバー２６が取り外されると、ホルダ通路１３１の最奥部にあるコネクタ１４０が、外部から視認可能である。
【００７０】  図１４は、筐体２に取り付けられたホルダ収容部１３０の後方からの斜視図である。図１４には、ファンケーシング５４の内部の下流風路１７０から見たホルダ収容部１３０が図示されている。図１３と同様に、図１４に示すホルダ収容部１３０には、ホルダ１１０および高圧発生ユニット１００が取り付けられていない。
【００７１】  ファンケーシング５４には、開口１８８が形成されている。この開口１８８を介して、筐体２の内部に取り付けられたホルダ収容部１３０を下流風路１７０から視認することが可能とされている。上述した通り、ホルダ通路１３１の最奥部に、コネクタ１４０が配置されている。また、ホルダ収容部１３０の側壁面１３８に、側壁面１３８から突出するリブ１３９が形成されている。リブ１３９は、ホルダ通路１３１の延びる方向に沿って延在している。
【００７２】  開口１８８の上縁は、天井部１８９を構成している。また開口１８８の下縁には、フック形状部１９１が設けられている。フック形状部１９１は、ホルダ収容部１３０の開口部１３２に向けて曲がる形状を有しており、先端１９２を有している。フック形状部１９１の根元部分と、開口部１３２に向けて曲がる先端１９２とによって、掛止部１９３が形成されている。
【００７３】  開口１８８の下縁の、フック形状部１９１よりもホルダ通路１３１の奥側に、第２フック形状部１９６が設けられている。第２フック形状部１９６は、ホルダ収容部１３０の開口部１３２に向けて曲がる形状を有しており、先端１９７を有している。第２フック形状部１９６の根元部分と、開口部１３２に向けて曲がる先端１９７とによって、掛止部１９８が形成されている。リブ１３９は、第２フック形状部１９６の先端１９７よりもホルダ通路１３１の奥側に配置されている。
【００７４】  図１５は、ホルダ１１０がホルダ収容部１３０に収容される前の状態を示す斜視図である。図１５には、筐体２の内部に取り付けられたホルダ収容部１３０を視認できるように、筐体２の左前の角部分が一部切り欠かれた状態が図示されている。上述したように、ユーザは、ホルダ１１０の把持部１１８を手指で摘み、ホルダ１１０を開口部１３２からホルダ通路１３１内へ挿し入れることにより、ホルダ１１０および高圧発生ユニット１００をホルダ収容部１３０に取り付けることができる。
【００７５】  図１５に示されるように、ホルダ通路１３１の延びる方向、すなわちホルダ１１０および高圧発生ユニット１００がホルダ収容部１３０に挿し入れられる方向は、加湿空気清浄機１の左右方向と一致していない。ホルダ１１０および高圧発生ユニット１００がホルダ収容部１３０に挿し入れられる方向は、ホルダ１１０および高圧発生ユニット１００がホルダ収容部１３０に挿し入れられるに従って前方へ向かうように、加湿空気清浄機１の左右方向に対して傾いている。放電部１０２，１０３のうち、放電部１０３がホルダ収容部１３０の開口部１３２から筐体２の内部により深く挿し込まれる。
【００７６】  したがって、ホルダ１１０および高圧発生ユニット１００が筐体２内に収容された状態で、放電部１０２は放電部１０３よりも後方に配置され、放電部１０３は放電部１０２よりも前方に配置される。また、カバー２６は筐体２の左側面２Ｄに設けられているため、ホルダ１１０および高圧発生ユニット１００が筐体２内に収容された状態で、放電部１０２は放電部１０３よりも左方に配置され、放電部１０３は放電部１０２よりも右方に配置される。
【００７７】  図１６および図１７は、ホルダ１１０がホルダ収容部１３０に収容された状態を示す斜視図である。図１８は、ホルダ１１０がホルダ収容部１３０に収容された状態を示す側面図である。
【００７８】  ホルダ１１０がホルダ収容部１３０に収容された状態で、ホルダ１１０は、ホルダ通路１３１の最奥部まで到達している。この状態で、ホルダ１１０の把持部１１８は、図１７に示すように、ホルダ収容部１３０の外部に存在している。ユーザは、把持部１１８を手指で摘み、開口部１３２から抜き出すことにより、ホルダ１１０および高圧発生ユニット１００をホルダ収容部１３０から取り外すことができる。
【００７９】  ホルダ１１０の上ガイド部１１２の一部が、ホルダ収容部１３０の上溝１３３内に配置されている。ホルダ１１０の下ガイド部１１３の一部が、ホルダ収容部１３０の下溝１３４内に配置されている。上ガイド部１１２と上溝１３３との組み合わせ、および下ガイド部１１３と下溝１３４との組み合わせは、ホルダ１１０をホルダ収容部１３０に取り付けるときにホルダ１１０を案内する機能を有しており、またホルダ収容部１３０に取り付けられたホルダ１１０を適切な位置に配置する位置決め機能を有している。
【００８０】  図１６に示すように、ホルダ収容部１３０に取り付けられたコネクタ１４０に、高圧発生ユニット１００が電気的に接続されている。ホルダ１１０をホルダ収容部１３０に取り付けるとき、コネクタ１４０は、ホルダ１１０のコネクタ収容部１１６を通過して、ユニット筐体１０１に形成された接続部１０８内に相対移動する。そのため、コネクタ１４０がホルダ１１０および高圧発生ユニット１００の移動を妨げることはない。
【００８１】  図１４に示す、ホルダ収容部１３０の側壁面１３８から突出するリブ１３９は、ホルダ１１０をホルダ収容部１３０に取り付けるとき、リブ収容部１１５内に相対移動する。そのため、リブ１３９がホルダ１１０および高圧発生ユニット１００の移動を妨げることはない。
【００８２】  ホルダ１１０の本体部１１１の底面１１１Ａの一部は、ホルダ収容部１３０の開口部底面１３６上に載置されている。ホルダ通路１３１の底壁面１３５のうち、開口部１３２の近傍の開口部底面１３６は、ホルダ収容部１３０に対して相対移動するホルダ１１０の底面１１１Ａに対して摺動する摺動部を構成している。
【００８３】  図１９は、筐体２に取り付けられたホルダ収容部１３０にホルダ１１０が収容された状態の後方からの斜視図である。図１９には、図１４と同様に、下流風路１７０から見たホルダ収容部１３０および高圧発生ユニット１００が図示されている。高圧発生ユニット１００がホルダ１１０に保持された状態でホルダ収容部１３０に取り付けられる場合には、電極保護部１０４はフック形状部１９１の上方を通過し、また第２フック形状部１９６の上方を通過する。フック形状部１９１および第２フック形状部１９６が電極保護部１０４に干渉することはない。
【００８４】  これにより、図１９に示すように、ホルダ通路１３１の最奥部の所定の位置に、高圧発生ユニット１００を適切に配置することができる。適切に組み付けられた高圧発生ユニット１００の放電部１０２，１０３に高電圧を印加して放電させることにより、加湿空気清浄機１は所定の性能を確保することができる。
【００８５】  次に、高圧発生ユニット１００を単独で、つまり高圧発生ユニット１００をホルダ１１０に取り付けずに、ホルダ収容部１３０内に挿し入れようとするときの挙動について説明する。
【００８６】  ホルダ１１０が破損した場合、ホルダ１１０を紛失した場合などに、ユーザによっては高圧発生ユニット１００を単独でホルダ収容部１３０に挿し入れて使用しようとすることが考えられる。このような場合、ホルダ１１０が無いことにより隙間が形成されて、その隙間を経由して漏れる空気の流れが発生する。これにより、下流風路１７０内の空気流れに意図しないアンバランスが発生する。放電部１０２，１０３で発生した正負イオンを搬送する空気の流れにアンバランスが発生することにより、前方風路１８３に流れ込み前吹出し口３から装置の外部に流出する空気中、および、後方風路１８４に流れ込み後吹出し口４から装置の外部に流出する空気中の、正負イオンの濃度にアンバランスが発生する。
【００８７】  上述した通り、加湿空気清浄機１では、正イオンおよび負イオンの化学反応によって空気中の浮遊カビ菌およびウィルスなどが除去される。そのため、空気中に含まれる正イオンと負イオンとの濃度アンバランスが大きいと、浮遊カビ菌およびウィルスなどを除去する空気清浄能力が十分に発揮されない。このように、加湿空気清浄機１の性能が低下する可能性がある。
【００８８】  さらに、上記の隙間を通過する空気の流れによって、意図しない騒音が発生することにより、ユーザに不快感を与えたり、加湿空気清浄機１の発生する騒音に係る規制値を遵守できなくなる可能性がある。
【００８９】  本実施の形態に係る加湿空気清浄機１は、このような事象を解決するためのものである。図２０は、高圧発生ユニット１００単体をホルダ通路１３１に挿し入れようとする状態の側面図である。図２０に示すように、ホルダ１１０に取り付けられていない高圧発生ユニット１００は、開口部底面１３６に沿って移動する。高圧発生ユニット１００の下面が、開口部底面１３６に対して摺動する。
【００９０】  図９，１０および１８を併せて参照して、ホルダ１１０に取り付けられた高圧発生ユニット１００の下面は、ホルダ１１０の本体部１１１の底面１１１Ａから離れた位置にあり、底面１１１Ａよりも上方に配置されている。ホルダ１１０をホルダ収容部１３０に取り付けるときには、ホルダ１１０の底面１１１Ａが開口部底面１３６に対して摺動する。そのため、高圧発生ユニット１００を単独でホルダ通路１３１に挿し入れようとする場合には、高圧発生ユニット１００は、ホルダ１１０に取り付けられた状態の高圧発生ユニット１００が通る正規の経路よりも、下方の経路を通ることになる。
【００９１】  また、ホルダ１１０のユニット収容部１１４の底面の厚み分、ホルダ収容部１３０の側壁面１３８の厚み方向（図２０中の左右方向）に高圧発生ユニット１００のガタつきが発生する。ホルダ１１０の上ガイド部１１２および下ガイド部１１３が存在しないため、ホルダ収容部１３０の上溝１３３および下溝１３４によって高圧発生ユニット１００の移動が案内されることもない。高圧発生ユニット１００は、単体では、ホルダ通路１３１に対して遊びを有している。
【００９２】  図２１は、高圧発生ユニット１００単体をホルダ通路１３１に挿し入れようとする状態の後方からの斜視図である。図２１には、図１９と同様に、下流風路１７０から見た高圧発生ユニット１００が図示されている。
【００９３】  上記の通り高圧発生ユニット１００が下方の経路を通ることにより、図２１に示すように、高圧発生ユニット１００がフック形状部１９１に到達した時点で、電極保護部１０４の支柱１０５Ｄがフック形状部１９１の先端１９２に衝突する。この衝突によってユーザに違和感を与えることで、高圧発生ユニット１００単体でのホルダ収容部１３０への取り付けが適切でないことをユーザに気付かせることができる。
【００９４】  図２２は、高圧発生ユニット１００単体をフック形状部１９１よりも奥へ進めようとする状態の部分断面図である。図２３は、高圧発生ユニット１００単体をフック形状部１９１よりも奥へ進めようとする状態の後方からの斜視図である。
【００９５】  図２２に示すように、ホルダ通路１３１の底壁面１３５は、開口部底面１３６よりもホルダ通路１３１の奥側に、すなわち開口部底面１３６よりも開口部１３２から離れた位置に、開口部底面１３６に対して下方に落ち込む段差部１３７を有している。フック形状部１９１は、段差部１３７よりもホルダ通路１３１の奥側に配置されている。
【００９６】  ユーザが高圧発生ユニット１００の位置を上方にずらすなどして、支柱１０５Ｄとフック形状部１９１の先端１９２との衝突を解消して高圧発生ユニット１００をさらに押し進めた場合、図２２に示すように、高圧発生ユニット１００が段差部１３７に到達した時点で、ホルダ通路１３１の奥側が落ち込むように、高圧発生ユニット１００が傾斜する。
【００９７】  この傾斜によって、電極保護部１０４の位置が下がる。その結果、図２３に示すように、電極保護部１０４の支柱１０５Ｃがフック形状部１９１に衝突する。
【００９８】  高圧発生ユニット１００が段差部１３７で落ち込むときの急激な変位および衝撃、ならびに支柱１０５Ｃのフック形状部１９１への衝突によって、ユーザに違和感を与えることで、高圧発生ユニット１００単体でのホルダ収容部１３０への取り付けが適切でないことをユーザに気付かせることができる。
【００９９】  図２４は、高圧発生ユニット１００単体が第２フック形状部１９６へ到達した状態の部分断面図である。図２５および図２６は、高圧発生ユニット１００単体が第２フック形状部１９６へ到達した状態の後方からの斜視図である。
【０１００】  ユーザが高圧発生ユニット１００の位置を上方にずらすなどして、支柱１０５Ｃとフック形状部１９１との衝突を解消して高圧発生ユニット１００をさらに押し進めた場合、図２４に示すように、高圧発生ユニット１００の全体が段差部１３７を通過することにより、高圧発生ユニット１００はさらに下方の経路を通ることになる。そのため、図２５に示すように、高圧発生ユニット１００単体が第２フック形状部１９６へ到達した時点で、電極保護部１０４の支柱１０５Ｂが、フック形状部１９１の掛止部１９３に引っ掛かる。または、図２６に示すように、電極保護部１０４の支柱１０５Ｄが、第２フック形状部１９６の先端１９７に衝突する。
【０１０１】  この引っ掛かりおよび衝突によってユーザに違和感を与えることで、高圧発生ユニット１００単体でのホルダ収容部１３０への取り付けが適切でないことをユーザに気付かせることができる。
【０１０２】  図２５に示すフック形状部１９１への支柱１０５Ｃの引っ掛かりを解消するには、高圧発生ユニット１００を一旦後退させる（開口部１３２側へ移動する）必要がある。そこで、実施の形態の電極保護部１０４の梁部１０５Ａの延在方向の長さは、フック形状部１９１の先端１９２と第２フック形状部１９６の先端１９７との距離よりも、小さく設定されている。そのため、ユーザが高圧発生ユニット１００を上方に移動させて支柱１０５Ｄと第２フック形状部１９６との衝突を解消した上で、支柱１０５Ｄを第２フック形状部１９６の上に載せてフック形状部１９１への引っ掛かりを外そうとして高圧発生ユニット１００を後退させると、フック形状部１９１への引っ掛かりが解消されるよりも前に、支柱１０５Ｄが第２フック形状部１９６から落下する。
【０１０３】  このように、フック形状部１９１と第２フック形状部１９６との両方を乗り越えて高圧発生ユニット１００がホルダ通路１３１の奥側へ進むことを困難にし、ユーザに違和感を与えることで、高圧発生ユニット１００単体でのホルダ収容部１３０への取り付けが適切でないことをユーザに気付かせることができる。
【０１０４】  図２７は、高圧発生ユニット１００単体がリブ１３９へ到達した状態の後方からの斜視図である。ユーザが電極保護部１０４とフック形状部１９１および第２フック形状部１９６との干渉をどうにか解消して高圧発生ユニット１００をさらに押し進めた場合、図２７に示すように、高圧発生ユニット１００がホルダ収容部１３０の側壁面１３８から突出するリブ１３９に到達した時点で、ユニット筐体１０１がリブ１３９に衝突する。
【０１０５】  この衝突によってユーザに違和感を与えることで、高圧発生ユニット１００単体でのホルダ収容部１３０への取り付けが適切でないことをユーザに気付かせることができる。
【０１０６】  以上説明したように、本実施の形態の加湿空気清浄機１には、高圧発生ユニット１００を単独でホルダ収容部１３０内に挿し入れようとするとき、高圧発生ユニット１００と干渉し得る構造が複数設けられている。ユーザに数々の違和感を繰り返し感じさせることで、高圧発生ユニット１００単体でのホルダ収容部１３０への取り付けが適切でないことを、より確実にユーザに気付かせることができる。
【０１０７】  （実施の形態２）  図２８は、実施の形態２の高圧発生ユニット１００単体をホルダ通路１３１に挿し入れようとする状態の後方からの斜視図である。図２９は、実施の形態２の高圧発生ユニット１００単体が切り欠き部２９２，２９４，２９６内に嵌まり込んだ状態の後方からの斜視図である。
【０１０８】  実施の形態１では、２箇所のフック形状部（フック形状部１９１、第２フック形状部１９６）が設けられている例について説明したが、この例に限られるものではなく、たとえば図２８，２９に示すように、３箇所のフック形状部２９１，２９３，２９５が設けられ、これらフック形状部２９１，２９３，２９５に対応する３箇所の切り欠き部２９２，２９４，２９６が形成されている構成としてもよい。
【０１０９】  フック形状部２９１，２９３の間隔を電極保護部１０４の支柱１０５Ｂ，１０５Ｃの間隔と等しくし、フック形状部２９３，２９５の間隔を電極保護部１０４の支柱１０５Ｃ，１０５Ｄの間隔と等しくすることにより、各支柱１０５Ｂ，１０５Ｃ，１０５Ｄが切り欠き部２９２，２９４，２９６に到達した時点で、電極保護部１０４の全体が切り欠き部２９２，２９４，２９６内に落ち込み、さらに奥側へ押しこんだ場合にはフック形状部２９１，２９３，２９５の鍵形状に嵌まり込む。
【０１１０】  高圧発生ユニット１００が切り欠き部２９２，２９４，２９６内に落ち込むときに衝撃が加わり、さらに、高圧発生ユニット１００を切り欠き部２９２，２９４，２９６から引き出すために一旦後退させた上で上方へずらす移動が必要になる。これらの不自然な動作によって、ユーザに違和感を与えることで、高圧発生ユニット１００単体でのホルダ収容部１３０への取り付けが適切でないことをユーザに気付かせることができる。
【０１１１】  （実施の形態３）  図３０は、実施の形態３の高圧発生ユニット１００単体をホルダ通路１３１に挿し入れようとする状態の部分断面図である。図３１は、実施の形態３の高圧発生ユニット１００単体をホルダ通路１３１に挿し入れようとする状態の後方からの斜視図である。実施の形態３の加湿空気清浄機１は、実施の形態１の構成に加えて、ファンケーシング５４に形成された開口１８８の天井部１８９が切り欠かれた切欠き形状部１９９をさらに備えている。切欠き形状部１９９は、フック形状部１９１よりもホルダ通路１３１の奥側（開口部１３２から離れる側）、かつ第２フック形状部１９６よりもホルダ通路１３１の手前側（開口部１３２に近い側）に、設けられている。
【０１１２】  図３０，３１に示すように、フック形状部１９１に電極保護部１０４が干渉しないように高圧発生ユニット１００を上方へ持ち上げながらホルダ通路１３１の奥側へ押し進めると、ユニット筐体１０１または電極保護部１０６の支柱１０７Ｄが切欠き形状部１９９内に嵌まり、そのまま奥側へ押し進めることができない。切欠き形状部１９９との干渉を避けようとして高圧発生ユニット１００を下方へずらすと、電極保護部１０４がフック形状部１９１に衝突し、たとえば支柱１０５Ｃの掛止部１９３への引っ掛かりが発生する。
【０１１３】  このようにして、ユーザに違和感を与えることで、高圧発生ユニット１００単体でのホルダ収容部１３０への取り付けが適切でないことをユーザに気付かせることができる。
【０１１４】  なお、これまでの実施の形態の説明においては、フック形状部１９１および第２フック形状部１９６がファンケーシング５４に形成されており、ホルダ収容部１３０に段差部１３７が形成されており、リブ１３９がホルダ収容部１３０の側壁面１３８から突出している構成について説明した。この構成に限られず、フック形状部１９１および第２フック形状部１９６は、ホルダ収容部１３０に形成されていてもよい。リブ１３９は、ファンケーシング５４に形成されていてもよい。
【０１１５】  ホルダ１１０に取り付けられた高圧発生ユニット１００を挿入する際には干渉しないが高圧発生ユニット１００単体で挿入した際には挿入を妨害できる構造であれば、実施の形態で説明したフック形状部、段差部およびリブに限られず、他の任意の構造が設けられていてもよい。
【０１１６】  以上のように各実施の形態について説明を行なったが、各実施の形態を適宜組み合わせてもよい。また、今回開示された実施の形態は全ての点で例示であって制限的なものではないと考えられるべきである。本発明の範囲は上記した説明ではなくて請求の範囲によって示され、請求の範囲と均等の意味および範囲内での全ての変更が含まれることが意図される。
【符号の説明】
【０１１７】  １  加湿空気清浄機、２  筐体、３  前吹出し口、４  後吹出し口、１０  前パネル、２６  カバー、３０  貯水トレイ、５０  送風機、５２  ファン、５３  モータ、５４  ファンケーシング、１００  高圧発生ユニット、１０１  ユニット筐体、１０２，１０３  放電部、１０４，１０６  電極保護部、１０５Ａ，１０７Ａ  梁部、１０５Ｂ，１０５Ｃ，１０５Ｄ，１０７Ｂ，１０７Ｃ，１０７Ｄ  支柱、１０８  接続部、１１０  ホルダ、１１１  本体部、１１１Ａ  底面、１１２  上ガイド部、１１３  下ガイド部、１１４  ユニット収容部、１１５  リブ収容部、１１６  コネクタ収容部、１１８  把持部、１３０  ホルダ収容部、１３１  ホルダ通路、１３２  開口部、１３３  上溝、１３４  下溝、１３５  底壁面、１３６  開口部底面、１３７  段差部、１３８  側壁面、１３９  リブ、１４０  コネクタ、１４１，１４２，１４３  固定部、１４４  基板収容部、１７０  下流風路、１８８  開口、１８９  天井部、１９１，２９１，２９３，２９５  フック形状部、１９２，１９７  先端、１９３，１９８  掛止部、１９６  第２フック形状部、１９９  切欠き形状部、２９２，２９４，２９６  切り欠き部。
【図１】
2019038948.tif 000003
【図２】
2019038948.tif 000004
【図３】
2019038948.tif 000005
【図４】
2019038948.tif 000006
【図５】
2019038948.tif 000007
【図６】
2019038948.tif 000008
【図７】
2019038948.tif 000009
【図８】
2019038948.tif 000010
【図９】
2019038948.tif 000011
【図１０】
2019038948.tif 000012
【図１１】
2019038948.tif 000013
【図１２】
2019038948.tif 000014
【図１３】
2019038948.tif 000015
【図１４】
2019038948.tif 000016
【図１５】
2019038948.tif 000017
【図１６】
2019038948.tif 000018
【図１７】
2019038948.tif 000019
【図１８】
2019038948.tif 000020
【図１９】
2019038948.tif 000021
【図２０】
2019038948.tif 000022
【図２１】
2019038948.tif 000023
【図２２】
2019038948.tif 000024
【図２３】
2019038948.tif 000025
【図２４】
2019038948.tif 000026
【図２５】
2019038948.tif 000027
【図２６】
2019038948.tif 000028
【図２７】
2019038948.tif 000029
【図２８】
2019038948.tif 000030
【図２９】
2019038948.tif 000031
【図３０】
2019038948.tif 000032
【図３１】
2019038948.tif 000033
【国際調査報告】
2019038948.tif 000034
2019038948.tif 000035
2019038948.tif 000036
2019038948.tif 000037